【事件の表示】
　特許第３０５７８６６号「歯磨組成物」の請求項１に係る特許に対する特許異議の申立てについて、次のとおり決定する。
【結　論】
　訂正を認める。
　特許第３０５７８６６号の請求項１に係る特許を維持する。
【理　由】
１．手続の経緯
　本件特許第３０５７８６６号発明は、平成３年１２月３日に特許出願され、平成１２年４月２１日にその特許権の設定登録がなされ、その後、日本香料工業会及び伊藤理恵より特許異議申立がなされ、当審より取消理由通知がなされ、その指定期間内である平成１３年５月２１日に訂正請求がなされたものである。
　　　
２．訂正の適否についての判断
(ａ)訂正の内容
訂正事項ａ
　特許請求の範囲の請求項１の
「【請求項１】 グリセリンとアルキル硫酸塩とを含有する歯磨組成物において、アシルサルコシン塩並びにアネトール及びメンソフランを配合したことを特徴とする歯磨組成物。」を
「【請求項１】 グリセリンとアルキル硫酸塩とを含有する歯磨組成物において、低温安定性改良成分としてアシルサルコシン塩を組成物全体の０.０５〜３重量％と、苦味改良成分としてアネトールを組成物全体の０.００５〜０.３重量％及びメンソフランを組成物全体の０.０００５〜０.１重量％とを配合したことを特徴とする低温安定性及び苦味が改良された歯磨組成物。」
と訂正し、
訂正事項ｂ
　特許明細書の【０００８】が
「【課題を解決するための手段及び作用】
　本発明者は、上記目的を達成すべく鋭意検討した結果、上述したようにグリセリンとアルキル硫酸塩とを配合した歯磨組成物にラウロイルサルコシンナトリウム等のアシルサルコシン塩を配合した場合、グリセリンとアルキル硫酸塩とを配合した歯磨組成物の低温安定性を改良できるものの、その反面苦味が強くなるという新たな問題が生じるが、これらに加えて香料としてアネトールとメンソフランとを併用して配合することにより、アシルサルコシン塩配合の低温改良効果を維持しながら苦味を顕著に改良できることを見い出し、本発明をなすに至ったものである。」とあるのを
「【課題を解決するための手段及び作用】
　本発明者は、上記目的を達成すべく鋭意検討した結果、上述したようにグリセリンとアルキル硫酸塩とを配合した歯磨組成物に低温安定性改良成分としてラウロイルサルコシンナトリウム等のアシルサルコシン塩を組成物全体の０.０５〜３重量％配合した場合、グリセリンとアルキル硫酸塩とを配合した歯磨組成物の低温安定性を改良できるものの、その反面苦味が強くなるという新たな問題が生じるが、これらに加えて香料としてアネトールを組成物全体の０.００５〜０.３重量％とメンソフランを組成物全体の０.０００５〜０.１重量％とを併用して苦味改良成分として配合することにより、アシルサルコシン塩配合の低温安定性改良効果を維持しながら苦味を顕著に改良できることを見い出し、本発明をなすに至ったものである。」と訂正するものである。
　　
(ｂ)訂正の目的の適否、拡張・変更の存否、及び新規事項の追加の有無　　
　上記訂正事項ａは、訂正前の請求項１に記載のアシルサルコシン塩、アネトール及びメンソフランの配合量及び機能を、【０００８】、【００１２】及び【００１４】に記載されている事項で限定し、歯磨組成物を【０００８】に記載されている効果によって限定したものである。
　したがって、この訂正は特許明細書に記載した事項の範囲内であって、特許請求の範囲の減縮に該当する。
　訂正事項ｂは特許請求の範囲の訂正に伴って発明の詳細な説明の項の記載を整合させるための訂正であるから、明りようでない記載の釈明に該当する。
　そして、これらは、実質上請求の範囲を拡張し、変更するものではない。
　以上のとおりであるから、上記訂正請求は、特許法第１２０条の４第２項及び同条第３項で準用する第１２６条第２〜３項の規定に適合するので、当該訂正を認める。
　
３．特許異議申立についての判断　
イ、本件特許発明
　本件請求項１に係る発明（以下、本件発明という。）は、訂正された特許明細書の記載からみて、特許請求の範囲に記載されたとおりのものと認められる。
　　　　
ロ、異議申立の概要
　異議申立人日本香料工業会は、甲第１号証（特公昭６２−１６９２７号公報、以下甲１−１号証という。）、甲第２号証（奥田治著「香料化学総覧[II]」昭和４３年、廣川書店発行、３２０〜３２１頁及び７１３〜７１４頁、以下、甲１−２号証という。）、甲第３号証（Perfume and Flavor Chemicals II,MONTCLAIR,(1969),p.49-50、以下、甲１−３号証という。）及び甲第４号証（藤巻他３名編「香料の事典」朝倉書店発行、(1980)３２５〜３２７頁、以下、甲１−４号証）を提出して、本件発明は甲１−１号証に記載された発明であり、又は甲１−１〜１−４号証に記載された発明に基づいて当業者が容易に発明をすることできたものであるから、特許法第２９条第１項第３号又は同法第２９条第２項の規定に違反してされたものであると主張している。
　異議申立人伊藤理恵は、甲第１号証（特開昭６０−７５４１８号公報、以下、甲２−１号証という。）、甲第２号証（特開平２−１１５１１号公報、以下、甲２−２号証という。）、甲第３号証（日本薬剤師会雑誌、第３１巻第３号、２３４〜２３５頁、以下、甲２−３号証）、甲第４号証（正田芳郎著「ガスクロマトグラフィーによる天然香料の分析」昭和４７年、廣川書店発行、５２頁、以下、甲２−４号証という。）及び甲第５号証（奥田治著「香料化学総覧[II]」昭和４３年、廣川書店発行、１４７４頁、以下、甲２−５号証という。）を提出して、本件発明は甲２−１〜２−３号証に記載された発明であり、又は甲２−１〜２−５号証に記載された発明に基づいて当業者が容易に発明をすることできたものであるから、特許法第２９条第１項第３号又は同法第２９条第２項の規定に違反してされたものであると主張している。
　　　　　　
ハ、証拠記載の発明  
　甲１−１号証には、口腔用組成物に関する発明が記載され、アルキロイル基の炭素数が１２のラウロイル基を９０〜９５.５重量％含有するＮ−長鎖アルキロイルザルコシン及び／又はその塩が、口嗅発生の原因となるフソバクテリウム属等に対して作用し、その口嗅の原因となるメチルメルカプタンの発生を抑制すると伴に、浸透性に優れ、厚く形成された歯垢や、口腔の奥部にも良好に作用すること（３欄１〜８行）、Ｎ−長鎖アルキロイルザルコシン及び／又はその塩の配合量は、組成物全体の０.１〜１重量％であること（３欄３０〜３２行）、配合しうる香料の例示中にアネトール及びペパーミント油が、粘稠剤の例示中にグリセリンが記載され（４〜５欄）、実施例２に、グリセリン１０重量部、ラウリル硫酸ナトリウム１.３重量部、ラウロイルザルコシンナトリウム塩、ペパーミント系香料１.０重量部、他に沈降性シリカ２０重量部、６０％ソルビット４５重量部、サッカリンナトリウム０.１３重量部、ＣＭＣ−Ｎａ塩０.８重量部、水２１.４７重量部、配合した透明歯磨が記載されている。
　甲１−２号証には、メントフラン（＝メンソフラン）はペパーミントの花芽精油、その他 Mentha 属植物の多数精油中に存在すること（７１３頁）、アメリカ産及びコンゴ産のペパーミント油（M. piperita L.）にメンソフランが含まれていること（３２０頁）が記載されている。
　甲１−３号証には、メンソフランは、主に合成「ペパーミント」油の調製における少量成分としてフレーバー調合に少し使われていることが記載されている。
　甲１−４号証には、歯磨香料の原料について、ペパーミント油は歯磨フレーバー中最も重要なものであり、アネトールは強い甘みを有し、ミント系フレーバーとよく調和することが記載されている。
　甲２−１号証には、長鎖アルキロイルザルコシン酸塩とシソ科植物抽出物の１種又は２種以上の混合物を含有する口腔用組成物（特許請求の範囲第１項）が記載され、これは口臭抑制効果が優れていること（１頁左下欄）、長鎖アルキロイルザルコシン酸の配合量が０.０５〜０.５重量％であること（２頁右上欄）、適宜添加できる成分として、グリセリン（保湿剤）、ラウリル硫酸ナトリウム、ミリスチル硫酸ナトリウム等のアルキル基の炭素数が８〜１８である高級アルキル硫酸エステルの水溶性塩などの界面活性剤、アネトール、ペパーミント油等の香料フレーバーが例示され（２頁右下欄〜３頁右上欄）、グリセリン、Ｎａ−ラウリルサルフェート、Ｎａ−ラウロイルザルコシネート、及び香料を含有する練歯磨の実施例が記載されている。
　甲２−２号証には、
(i)トリクロサンと界面活性剤とを併用してなる口腔用組成物において、下記一般式（１）
（式中、Ｒ1は炭素数１〜８のアルキル基である）及び下記一般式（２）
（式中、Ｒ2は炭素数１〜８のアルキル基、Ｒ3はＨ、ＯＨ又はＯＣＨ3であり、Ｒ4はプロペニル基である）で示される化合物の１種以上を配合したことを特徴とする口腔用組成物。（特許請求の範囲）
(ii)界面活性剤としては、ラウリル硫酸ナトリウム…などのアルキル硫酸ナトリウム、Ｎ−ラウロイルザルコシン酸ナトリウム…などのＮ−アシルザルコシン酸ナトリウム……等が用いられる。
　なお、これらの界面活性剤はその１種を単独で用いても２種以上を併用しても差し支えない。また、界面活性剤の配合量は通常全体の０.０１〜５％、より好ましくは０.０５〜３％である。（２頁左下欄〜３頁左上欄）
(iii)本発明は上述したトリクロサンと界面活性剤とを含む系に前記（１）式の化合物及び（２）式の化合物より選ばれる少なくとも１種の化合物を配合するもので、これによりトリクロサンの界面活性剤による殺菌作用の低下を可及的に防止し得たものである。
　この場合、（１）式の化合物として具体的にはｏ−ヒドロキシ安息香酸であるサリチル酸、……（２）式の化合物として、具体的にはアネトール……これらの化合物の配合量は任意に決めることができるが、通常組成物全体の０.００１〜５％、好ましくは０.０１〜１％とするのがよい。（３頁左上〜右上欄）
(iv)他の任意添加成分について、粘稠剤としてグリセリン、香料としてペパーミント油などの香料を単独で又は組み合わせて全体の０〜１０％配合しうること。（３頁右下欄〜４頁左上欄）
(v)グリセリン２５.０％、アネトール０.１％、香料１.０％含有する練歯磨（実施例２）、ソルビット２０.０％、ラウリル硫酸ナトリウム１.５％、ラウロイルザルコシンナトリウム０.３％、アネトール０.２％、香料０.８％含有する練歯磨（実施例３）の処方例が記載されている。
　甲２−３号証には、歯磨の成分について、発泡剤はラウリル硫酸ナトリウムが一般化していること、保湿剤はグリセリンがよく用いられること、香料成分はあまりにも多種多様であるため、その成分の１つ１つをあげることはできないが、その構成の大部分はペパーミント油、スペアミント油などのハッカ系香料が主体となっており、それにアネトール、ケイ皮油、レモン油、ユーカリ油などが加えられていること（２３４頁）及びラウリル硫酸ナトリウム、ザルコシン酸ナトリウム、香料、及びグリセリンを含有する練歯磨の処方例が記載されている。
　甲２−４号証には、アメリカ産のペパーミント油にはメントフランが含まれていることが示されている。
　甲２−５号証には、歯ミガキ類用香料の処方例として、ペパーミント油とアネトールを配合したものが記載されている。
　　　　
ニ、対比・判断
ニ−１　２９条１項３号について
　甲１−２号証によるとペパーミント系香料にはメンソフランが含まれていること、及びラウリル硫酸ナトリウム、ラウロイルザルコシンナトリウムはそれぞれアルキル硫酸塩、アシルサルコシン塩に相当することは明らかであることから、甲第１−１号証には、グリセリン、ラウリル硫酸ナトリウム、ラウロイルザルコシンナトリウム塩、ペパーミント系香料を配合した透明歯磨組成物、つまり、グリセリン、アルキル硫酸塩、アシルサルコシン塩、メンソフランを配合した歯磨組成物が記載されているものと認められる。しかし、アネトールについては、任意の多数の香料の中の一つとして例示されているのであって、想定できる無数の香料の組み合わせの一つとして、アネトールとメンソフランとの組合わせが記載されているものとは認められない。
　したがって、本件発明は、甲１−１号証に記載されたものではない。
　また、甲２−１号証には、グリセリン、Ｎａ−ラウリルサルフェート、Ｎａ−ラウロイルザルコシネート、及び香料を含有する練歯磨が記載されているが、香料として配合した成分は明記されておらず、配合できる香料の例示中にアネトール、ペパーミント油が挙げられているだけで、この両者の組み合わせについては記載されていない。
　したがって、本件発明は甲２−１号証に記載されたものではない。
　甲２−２号証には、ソルビット、ラウリル硫酸ナトリウム、ラウロイルザルコシンナトリウム、アネトール、及び香料を含有する練歯磨が記載されているが、ソルビットとグリセリンは異なる物質であり、また、香料がアネトールと組み合わせてメンソフラン又はそれを含有するペパーミント油を配合することは記載されていない。
　したがって、本件発明は甲２−２号証に記載された発明ではない。
　甲２−３号証には、ラウリル硫酸ナトリウム、ザルコシン酸ナトリウム、香料、及びグリセリンを含有する練歯磨の処方例が記載されているが、その香料成分は明らかでなく、香料成分として例示されているものもペパーミント油、スペアミント油などのハッカ系香料を主体し、それにアネトール、ケイ皮油、レモン油、ユーカリ油などが加えられているとして、多数の組み合わせを含むものであるので、これらの組み合わせの中から少なくともペパーミント油とアネトールとの両者を配合したものが上記処方例における香料として記載されているとは認められない。
　したがって、本件発明が甲２−３号証に記載されたものではない。
　
ニ−２　２９条２項について
　本件発明と甲１−１号証に記載のものとを対比すると、甲１−１号証の透明歯磨の処方例におけるラウロイルザルコシンナトリウム塩の配合量は記載されていないが、全体の量から算出すると０.３重量部であることから、両者は、グリセリンとアルキル硫酸塩とを含有する歯磨組成物において、アシルサルコシン塩を組成物全体の０.３重量％と、香料を配合した歯磨組成物である点で一致し、前者は低温安定性改良成分としてアシルサルコシン塩を、アネトール及びメンソフランを苦味改良成分としてそれぞれ組成物全体の０.００５〜０.３重量％及び０.０００５〜０.１重量%を配合しているのに対して、後者はペパーミント系香料１.０重量部と記載され、アシルサルコシン塩及び香料の機能については明記されていない点で相違している。
　そこで、この相違点について検討すると、甲１−２〜１−４及び２−３〜２−５には、ペパーミント油にはメンソフランが含まれていること、アネトールはミント系フレーバーとよく調和すること、香料成分の構成の大部分はペパーミント油、スペアミント油などのハッカ系香料が主体となっており、それにアネトール、ケイ皮油、レモン油、ユーカリ油などが加えられていること又は歯磨類の香料の処方例としてペパーミント油とアネトールを配合した例が記載されているが、これらは歯磨の香料として、メンソフランを含有するペパーミント油とアネトールを一緒に配合することが多いことを示唆するにとどまり、この香料を配合の対象となる歯磨の他の成分との関係については記載されていない。しかも、アネトールと例えばペパーミント油を配合した香料がグリセリン、アルキル硫酸塩及びアシルサルコシンを配合した歯磨組成物の苦味をを改良することについては何等記載されていない。
　また、甲２−１〜２号証にも、アシルサルコシン塩が口臭抑制効果に優れていること、アネトール（甲２−２号証における式（２）の化合物）を式（１）の化合物と併用するとトリクロサンの殺菌力の低下を抑制できることが記載されているが、いずれも、アシルサルコシン塩のアルキル硫酸塩とグリセリンとを配合した歯磨における低温安定性を改良する機能、及びアネトールとメンソフランを併用することによってアルキル硫酸塩、グリセリン及びアシルサルコシン塩の３成分を配合した歯磨の苦味を改良することについては何等記載されていない。
　そうすると、甲１−１号証に記載の歯磨において、ペパーミント系香料に代えて、アネトールとメンソフランを含有する香料、例えば、甲２−５号証に記載の香料を適用したとしても、上記各甲号証には上記３成分を含有する歯磨の苦味を改良することについて何等記載されてないのであるから、当業者はアネトールとメンソフランを配合した効果を予測できるものではない。
　ところが、本件発明は、特許明細書の表２及び表３に示されているように、上記３成分を含有する歯磨に少なくともアネトールとメンソフランを請求項に記載の割合で配合することにより苦味が改良されたという顕著な効果を奏したものである。
　したがって、本件発明は、甲１−１〜２−５号証に記載された発明に基いて当業者が容易に発明をすることができたものではない。
　　　　
４．むすび
　以上のとおりであるから、本件特許が特許法第２９条第１項第３号又は同法第２９条第２項に違反して特許されたものではない。
　また、本件特許については、他に取消理由を発見しない。
　よって、結論のとおり決定する。
【異議決定日】
平成１３年６月１４日（２００１．６．１４）
【訂正の要旨】
訂正事項ａ
　特許請求の範囲の減縮を目的として、特許請求の範囲の請求項１の
「【請求項１】　グリセリンとアルキル硫酸塩とを含有する歯磨組成物において、アシルサルコシン塩並びにアネトール及びメンソフランを配合したことを特徴とする歯磨組成物。」を
「【請求項１】　グリセリンとアルキル硫酸塩とを含有する歯磨組成物において、低温安定性改良成分としてアシルサルコシン塩を組成物全体の０．０５〜３重量％と、苦味改良成分としてアネトールを組成物全体の０．００５〜０．３重量％及びメンソフランを組成物全体の０．０００５〜０．１重量％とを配合したことを特徴とする低温安定性及び苦味が改良された歯磨組成物。」
と訂正し、
訂正事項ｂ
　明りょうでない記載の釈明を目的として、特許明細書の【０００８】が
「【課題を解決するための手段及び作用】
　本発明者は、上記目的を達成すべく鋭意検討した結果、上述したようにグリセリンとアルキル硫酸塩とを配合した歯磨組成物にラウロイルサルコシンナトリウム等のアシルサルコシン塩を配合した場合、グリセリンとアルキル硫酸塩とを配合した歯磨組成物の低温安定性を改良できるものの、その反面苦味が強くなるという新たな問題が生じるが、これらに加えて香料としてアネトールとメンソフランとを併用して配合することにより、アシルサルコシン塩配合の低温改良効果を維持しながら苦味を顕著に改良できることを見い出し、本発明をなすに至ったものである。」とあるのを
「【課題を解決するための手段及び作用】
　本発明者は、上記目的を達成すべく鋭意検討した結果、上述したようにグリセリンとアルキル硫酸塩とを配合した歯磨組成物に低温安定性改良成分としてラウロイルサルコシンナトリウム等のアシルサルコシン塩を組成物全体の０．０５〜３重量％配合した場合、グリセリンとアルキル硫酸塩とを配合した歯磨組成物の低温安定性を改良できるものの、その反面苦味が強くなるという新たな問題が生じるが、これらに加えて香料としてアネトールを組成物全体の０．００５〜０．３重量％とメンソフランを組成物全体の０．０００５〜０．１重量％とを併用して苦味改良成分として配合することにより、アシルサルコシン塩配合の低温安定性改良効果を維持しながら苦味を顕著に改良できることを見い出し、本発明をなすに至ったものである。」
と訂正するものである。
（５４）【発明の名称】
歯磨組成物
（５７）【特許請求の範囲】
　【請求項１】　グリセリンとアルキル硫酸塩とを含有する歯磨組成物において、
低温安定性改良成分としてアシルサルコシン塩を組成物全体の０．０５〜３重量％と、苦味改良成分としてアネトールを組成物全体の０．００５〜０．３重量％及びメンソフランを組成物全体の０．０００５〜０．１重量％と
低温安定性及び苦味が改良された
【発明の詳細な説明】
　【０００１】
　【産業上の利用分野】
　本発明は、グリセリンとアルキル硫酸塩とを配合した歯磨組成物の低温安定性、更には使用感を改良した歯磨組成物に関する。
　【０００２】
　【従来の技術及び発明が解決しようとする課題】
　従来より、歯磨組成物には、保湿剤としてグリセリンやソルビットが配合されている。このうちグリセリンは歯磨組成物の香味、使用感においてやや苦味や熱感が出やすいものの、水分活性低下能が高いため、ソルビットよりも防腐力が高く、抗菌力に優れている。
　【０００３】
　一方、歯磨組成物には、発泡剤として従来よりラウリル硫酸ナトリウム等のアルキル硫酸塩やラウロイルサルコシンナトリウム等のアシルサルコシン塩が良く用いられており、このうちアルキル硫酸塩は良好な使用感を与えるため、汎用されている。
　【０００４】
　しかしながら、グリセリンとラウリル硫酸ナトリウム等のアルキル硫酸塩を併用した歯磨組成物は低温安定性に劣り、低温に長期間保存した場合、歯磨組成物の肌にツブやシワが生じるという問題がある。
　【０００５】
　本発明者は、この問題を解決すべく鋭意検討した結果、意外にも発泡剤としてラウリル硫酸ナトリウム等のアルキル硫酸塩に加え、ラウロイルサルコシンナトリウム等のアシルサルコシン塩を配合し、これらを併用した場合、グリセリンとアルキル硫酸塩配合歯磨組成物の低温安定性が改善されることを見い出した。
　【０００６】
　しかしながら、グリセリンとラウロイルサルコシンナトリウム等のアシルサルコシン塩とを併用した場合、歯磨組成物の苦味が強くなり、歯磨の味が悪くなるという新たな問題が生じ、この点を解決することが望まれた。
　【０００７】
　本発明は上記事情に鑑みなされたもので、グリセリンとアルキル硫酸塩とを配合した歯磨組成物の有する低温安定性の問題点及びこの低温安定性の改良に伴う苦味等の使用感の問題点を解決した歯磨組成物を提供することを目的とする。
　【０００８】
　【課題を解決するための手段及び作用】
　本発明者は、上記目的を達成すべく鋭意検討した結果、上述したようにグリセリンとアルキル硫酸塩とを配合した歯磨組成物に
低温安定性改良成分として
組成物全体の０．０５〜３重量％
を組成物全体の０．００５〜０．３重量％
を組成物全体の０．０００５〜０．１重量％
苦味改良成分として
安定性
　【０００９】
　以下、本発明について更に詳しく説明すると、本発明の歯磨組成物は、上述したように、グリセリンとアルキル硫酸塩とに加え、アシルサルコシン塩、アネトール及びメンソフランを配合してなるものである。
　【００１０】
　ここで、保湿剤としてのグリセリンの配合量は、歯磨組成物全体の５〜５０％（重量％、以下同様）、特に７〜４０％とすることが好ましい。グリセリンの配合量が５％未満であると保湿性が不十分になり、歯磨チューブのキャップを外したままにした場合、口元の練り歯磨きが固まって歯磨を出しにくくなることがあり、一方、５０％を超えて配合すると、使用感に著しい熱感が出て、使用感を損なう場合がある。
　【００１１】
　また、発泡剤としてのアルキル硫酸塩としては、例えばラウリル硫酸ナトリウム、ミリスチル硫酸ナトリウム等のアルキル基の炭素数が８〜１８のものを好適に使用することができる。なお、アルキル硫酸塩の配合量は、０．１〜５％、特に０．３〜３％とするのが好ましい。
　【００１２】
　本発明においては、これらのグリセリン、アルキル硫酸塩に加えて低温安定性を改良するため、発泡剤としてアシルサルコシン塩を配合する。このアシルサルコシン塩としては、例えばラウロイルサルコシンナトリウムを好適に使用することができ、その配合量は歯磨組成物全体の０．０５〜３％、特に０．１〜２％の範囲とすることが好ましい。配合量が０．０５％より少ないと歯磨組成物の低温安定性の改良が不十分となる場合があり、逆に３％より多く配合すると刺激が強く、使用感を損なう場合がある。
　【００１３】
　また、本発明においては、香料としてアネトールとメンソフランを併用して配合するものである。これらの香料を配合せず、歯磨組成物に一般的に使用される香料、例えば１−メントール、ペパーミント油、１−カルボン、スペアミント油等を用いたり、これらにアネトールやメンソフランを単独配合してもグリセリンとアシルサルコシン塩を配合した歯磨組成物の苦味を除去することが困難で、本発明の目的を達成することができない。しかし、アネトールとメンソフランに加えてこれらの香料を配合することは差し支えない。
　【００１４】
　アネトールの配合量は、歯磨組成物全体の０．００５〜０．３％、特に０．０５〜０．１５％とすることが好ましい。配合量が０．００５％より少ないと配合の効果が発現しない場合があり、一方０．３％より多く配合すると油っぽさが出る場合がある。また、メンソフランの配合量は０．０００５〜０．１％、特に０．００１〜０．０２％とすることが好ましい。配合量が０．０００５％より少ないと配合の効果が発現しない場合があり、一方０．１％より多いと油っぽさが出る場合がある。
　【００１５】
　本発明の歯磨組成物には、上述した必須成分のほか、研磨剤、粘結剤、甘味剤、防腐剤、各種有効成分などを配合することができ、またグリセリン以外の保湿剤、アルキル硫酸塩やアシルサルコシン塩以外の界面活性剤、アネトールやメンソフラン以外の香料を配合することは差し支えない。
　【００１６】
　次に、実験例を示し、本発明の効果を具体的に説明する。なお、以下の例において、配合量は重量％である。
　【００１７】
［実験例１］
　グリセリンとラウリル硫酸ナトリウムとを含む歯磨にラウロイルサルコシンナトリウムを配合した表１に示す組成の練歯磨を調製し、その低温安定性を評価した。結果を表１に示す。
　【００１８】
　＜低温安定性の評価＞
　歯磨を−５℃に３０日間保存し、室温に戻したサンプルを専門家３名にて下記基準に基づいて評価し、３名の平均評点にて判定した。
評価基準
　
評点
練歯磨きの肌荒れ
　４点　　：表面にツブ、シワがなく、均一
　３点　　：表面にツブ、シワが若干あるが、ほぼ均一
　２点　　：表面にツブ、シワがあり、やや不均一
　１点　　：表面に著しくツブ、シワがあり、不均一
判定
　
３名の平均点
判定
　３．０〜４．０　　：○
　２．０〜２．９　　：△
　１．０〜１．９　　：×
　【００１９】
　【表１】
　【００２０】
［実験例２］
　グリセリン、ラウロイルサルコシンナトリウム、ラウリル硫酸ナトリウムを含有する歯磨にアネトールと他の香料を配合した表２に示す組成の練歯磨を調製し、その苦味を評価した。結果を表２に示す。
　【００２１】
＜苦味の評価＞
　専門パネル１０名にて下記基準に基づいて評価し、１０名の平均評点にて判定した。
評価基準
　
評点
苦味
　４点　　：苦味なし
　３点　　：苦味弱い
　２点　　：苦味やや強い
　１点　　：苦味強い
判定
　
１０名の平均点
判定
　３．０〜４．０　：○
　２．０〜２．９　：△
　１．０〜１．９　：×
　【００２２】
　【表２】
　【００２３】
［実験例３］
　アネトールとメンソフランの配合量を変えた表３に示す組成の練歯磨きを常法によって調製し、苦味、油っぽさ及び総合香味を評価した。結果を表３に示す。
　【００２４】
＜苦味、油っぽさ、総合香味の評価＞
評価基準
判定
　
１０名の平均点
判定
　３．０〜４．０　　：○
　２．０〜２．９　　：△
　１．０〜１．９　　：×
　【００２５】
　【表３】
　【００２６】
　【実施例】
　以下、実施例を示して本発明を具体的に説明するが、本発明は下記の実施例に制限されるものではない。なお、下記の実施例に示した歯磨組成物は、いずれも低温安定性が良く、かつ苦味が少なく使用感に優れているものである。
　【００２７】
　なお、下記例に使用した香料Ａ，Ｂの組成は下記の通りである。
香料Ａ（ペパーミントタイプ香料ベース）
　　　　原料名　　　　　　　　　　　重量％
　ｌ−メントール　　　　　　　　　３５．０
　ペパーミント油　　　　　　　　　４５．０
　クローブ油　　　　　　　　　　　　２．０
　カシア油　　　　　　　　　　　　　２．０
　カルダモン油　　　　　　　　　　　１．０
　ユーカリ油　　　　　　　　　　　　１．０
　フルーツミックス調合フレーバー　　５．０
　オレンジ油テルペンレス　　　　　　１．０
　エタノール　　　　　　　　　　　　８．０
　　　　　計　　　　　　　　　　１００．０
香料Ｂ（スペアミントタイプ香料ベース）
　　　　原料名　　　　　　　　　　　重量％
　スペアミント油　　　　　　　　　４０．０
　ｌ−カルボン　　　　　　　　　　１０．０
　ペパーミント油　　　　　　　　　２０．０
　ｌ−メントール　　　　　　　　　２０．０
　クローブ油　　　　　　　　　　　　２．０
　カシア油　　　　　　　　　　　　　１．０
　セージ油　　　　　　　　　　　　　２．０
　コリアンダー油　　　　　　　　　　１．０
　ストロベリーフレーバー　　　　　　３．０
　エタノール　　　　　　　　　　　　１．０
　　　　　計　　　　　　　　　　１００．０
　【００２８】
［実施例１］
　リン酸水素カルシウム　　　　　　　　　　　　　　　　４０
　プロピレングリコール　　　　　　　　　　　　　　　　　３
　グリセリン　　　　　　　　　　　　　　　　　　　　　２０
　サッカリンナトリウム　　　　　　　　　　　　　　　　　０．１
　ラウロイルサルコシンナトリウム　　　　　　　　　　　　０．１
　ラウリル硫酸ナトリウム　　　　　　　　　　　　　　　　１．５
　カルボキシメチルセルロースナトリウム　　　　　　　　　０．８
　カラギーナン　　　　　　　　　　　　　　　　　　　　　０．２
　トラネキサム酸　　　　　　　　　　　　　　　　　　　　０．０５
　グリチルリチン酸ジカリウム　　　　　　　　　　　　　　０．０５
　メチルパラベン　　　　　　　　　　　　　　　　　　　　０．２
　ブチルパラベン　　　　　　　　　　　　　　　　　　　　０．０２
　安息香酸ナトリウム　　　　　　　　　　　　　　　　　　０．５
　香料Ｂ　　　　　　　　　　　　　　　　　　　　　　　　１．０
　アネトール　　　　　　　　　　　　　　　　　　　　　　０．１５
　メンソフラン　　　　　　　　　　　　　　　　　　　　　０．０１
　
水　　　　　　　　　　　　　　　　　　　　　　　　　　残　　　
　　　　計　　　　　　　　　　　　　　　　　　　　　１００．０
　【００２９】
［実施例２］
　リン酸水素カルシウム　　　　　　　　　　　　　　　　４５
　無水ケイ酸　　　　　　　　　　　　　　　　　　　　　　３
　プロピレングリコール　　　　　　　　　　　　　　　　　３
　グリセリン　　　　　　　　　　　　　　　　　　　　　１５
　サッカリンナトリウム　　　　　　　　　　　　　　　　　０．１
　ラウロイルサルコシンナトリウム　　　　　　　　　　　　０．３
　アルキル（Ｃ８〜Ｃ１６ミックス）硫酸ナトリウム　　　　１．２
　カルボキシメチルセルロースナトリウム　　　　　　　　　０．８
　カラギーナン　　　　　　　　　　　　　　　　　　　　　０．２
　モノフルオルリン酸ナトリウム　　　　　　　　　　　　　０．７３
　塩酸クロルヘキシジン　　　　　　　　　　　　　　　　　０．０５
　メチルパラベン　　　　　　　　　　　　　　　　　　　　０．２
　エチルパラベン　　　　　　　　　　　　　　　　　　　　０．０２
　ブチルパラベン　　　　　　　　　　　　　　　　　　　　０．０２
　安息香酸ナトリウム　　　　　　　　　　　　　　　　　　０．３
　香料Ｂ　　　　　　　　　　　　　　　　　　　　　　　　１．０
　アネトール　　　　　　　　　　　　　　　　　　　　　　０．０５
　メンソフラン　　　　　　　　　　　　　　　　　　　　　０．００５
　
水　　　　　　　　　　　　　　　　　　　　　　　　　　残　　　　
　　　　計　　　　　　　　　　　　　　　　　　　　　１００．０
　【００３０】
［実施例３］
　リン酸水素カルシウム　　　　　　　　　　　　　　　　５０
　プロピレングリコール　　　　　　　　　　　　　　　　　２
　ポリエチレングリコール＃４００　　　　　　　　　　　　２
　グリセリン　　　　　　　　　　　　　　　　　　　　　１５
　サッカリンナトリウム　　　　　　　　　　　　　　　　　０．１
　ラウロイルサルコシンナトリウム　　　　　　　　　　　　０．１
　ラウリル硫酸ナトリウム　　　　　　　　　　　　　　　　１．５
　カルボキシメチルセルロースナトリウム　　　　　　　　　０．７
　カラギーナン　　　　　　　　　　　　　　　　　　　　　０．３
　メチルパラベン　　　　　　　　　　　　　　　　　　　　０．２
　ブチルパラベン　　　　　　　　　　　　　　　　　　　　０．０２
　安息香酸ナトリウム　　　　　　　　　　　　　　　　　　０．５
　香料Ａ　　　　　　　　　　　　　　　　　　　　　　　　１．０
　アネトール　　　　　　　　　　　　　　　　　　　　　　０．１０
　メンソフラン　　　　　　　　　　　　　　　　　　　　　０．００５
　
水　　　　　　　　　　　　　　　　　　　　　　　　　　残　　　　
　　　　計　　　　　　　　　　　　　　　　　　　　　１００．０
　【００３１】
［実施例４］
　リン酸水素カルシウム　　　　　　　　　　　　　　　　４０
　無水ケイ酸　　　　　　　　　　　　　　　　　　　　　　２
　プロピレングリコール　　　　　　　　　　　　　　　　　３
　グリセリン　　　　　　　　　　　　　　　　　　　　　２０
　サッカリンナトリウム　　　　　　　　　　　　　　　　　０．１
　ラウロイルサルコシンナトリウム　　　　　　　　　　　　０．５
　アルキル（Ｃ８〜Ｃ１６ミックス）硫酸ナトリウム　　　　１．０
　カルボキシメチルセルロースナトリウム　　　　　　　　　０．７
　カラギーナン　　　　　　　　　　　　　　　　　　　　　０．３
　トラネキサム酸　　　　　　　　　　　　　　　　　　　　０．０５
　酢酸トコフェロール　　　　　　　　　　　　　　　　　　０．０５
　β−グリチルレチン酸　　　　　　　　　　　　　　　　　０．０５
　オウバクエキス　　　　　　　　　　　　　　　　　　　　０．０５
　ラウリン酸ジエタノールアミド　　　　　　　　　　　　　０．３
　メチルパラベン　　　　　　　　　　　　　　　　　　　　０．２
　エチルパラベン　　　　　　　　　　　　　　　　　　　　０．０２
　ブチルパラベン　　　　　　　　　　　　　　　　　　　　０．０２
　安息香酸ナトリウム　　　　　　　　　　　　　　　　　　０．５
　香料Ａ　　　　　　　　　　　　　　　　　　　　　　　　１．０
　アネトール　　　　　　　　　　　　　　　　　　　　　　０．２
　メンソフラン　　　　　　　　　　　　　　　　　　　　　０．０２
　
水　　　　　　　　　　　　　　　　　　　　　　　　　　残　　　
　　　　計　　　　　　　　　　　　　　　　　　　　　１００．０
　【００３２】
［実施例５］
　水酸化アルミニウム　　　　　　　　　　　　　　　　　４５
　無水ケイ酸　　　　　　　　　　　　　　　　　　　　　　２
　プロピレングリコール　　　　　　　　　　　　　　　　　３
　グリセリン　　　　　　　　　　　　　　　　　　　　　１５
　サッカリンナトリウム　　　　　　　　　　　　　　　　　０．０５
　ラウロイルサルコシンナトリウム　　　　　　　　　　　　０．１
　アルキル（Ｃ８〜Ｃ１６ミックス）硫酸ナトリウム　　　　０．６
　カルボキシメチルセルロースナトリウム　　　　　　　　　１．０
　モノフルオルリン酸ナトリウム　　　　　　　　　　　　　０．７３
　エチルパラベン　　　　　　　　　　　　　　　　　　　　０．０５
　ブチルパラベン　　　　　　　　　　　　　　　　　　　　０．０２
　香料Ａ　　　　　　　　　　　　　　　　　　　　　　　　１．０
　アネトール　　　　　　　　　　　　　　　　　　　　　　０．１５
　メンソフラン　　　　　　　　　　　　　　　　　　　　　０．００１
　
水　　　　　　　　　　　　　　　　　　　　　　　　　　残　　　　
　　　　計　　　　　　　　　　　　　　　　　　　　　１００．０
　【００３３】
［実施例６］
　水酸化アルミニウム　　　　　　　　　　　　　　　　　５０
　プロピレングリコール　　　　　　　　　　　　　　　　　２
　グリセリン　　　　　　　　　　　　　　　　　　　　　１０
　サッカリンナトリウム　　　　　　　　　　　　　　　　　０．１
　ラウロイルサルコシンナトリウム　　　　　　　　　　　　０．３
　ラウリル硫酸ナトリウム　　　　　　　　　　　　　　　　１．２
　カルボキシメチルセルロースナトリウム　　　　　　　　　０．８
　カラギーナン　　　　　　　　　　　　　　　　　　　　　０．２
　オウゴン乾燥エキス　　　　　　　　　　　　　　　　　　０．０５
　メチルパラベン　　　　　　　　　　　　　　　　　　　　０．０２
　エチルパラベン　　　　　　　　　　　　　　　　　　　　０．０２
　ブチルパラベン　　　　　　　　　　　　　　　　　　　　０．０２
　安息香酸ナトリウム　　　　　　　　　　　　　　　　　　０．３
　香料Ａ　　　　　　　　　　　　　　　　　　　　　　　　１．０
　アネトール　　　　　　　　　　　　　　　　　　　　　　０．０５
　メンソフラン　　　　　　　　　　　　　　　　　　　　　０．０１
　
水　　　　　　　　　　　　　　　　　　　　　　　　　　残　　　
　　　　計　　　　　　　　　　　　　　　　　　　　　１００．０
　【００３４】
［実施例７］
　無水ケイ酸　　　　　　　　　　　　　　　　　　　　　２０
　ポリエチレングリコール＃４００　　　　　　　　　　　　５
　グリセリン　　　　　　　　　　　　　　　　　　　　　４０
　サッカリンナトリウム　　　　　　　　　　　　　　　　　０．０５
　ラウロイルサルコシンナトリウム　　　　　　　　　　　　０．１
　ラウリル硫酸ナトリウム　　　　　　　　　　　　　　　　１．５
　カルボキシメチルセルロースナトリウム　　　　　　　　　１．０
　フッ化ナトリウム　　　　　　　　　　　　　　　　　　　０．２１
　トリクロサン　　　　　　　　　　　　　　　　　　　　　０．３
　ビオゾール　　　　　　　　　　　　　　　　　　　　　　０．１
　塩化ナトリウム　　　　　　　　　　　　　　　　　　　１０
　メチルパラベン　　　　　　　　　　　　　　　　　　　　０．１
　ブチルパラベン　　　　　　　　　　　　　　　　　　　　０．０２
　安息香酸ナトリウム　　　　　　　　　　　　　　　　　　０，３
　香料Ｂ　　　　　　　　　　　　　　　　　　　　　　　　１．０
　アネトール　　　　　　　　　　　　　　　　　　　　　　０．２
　メンソフラン　　　　　　　　　　　　　　　　　　　　　０．０２
　
水　　　　　　　　　　　　　　　　　　　　　　　　　　残　　　
　　　　計　　　　　　　　　　　　　　　　　　　　　１００．０
　【００３５】
［実施例８］
　無水ケイ酸　　　　　　　　　　　　　　　　　　　　　　３
　炭酸カルシウム　　　　　　　　　　　　　　　　　　　４５
　プロピレングリコール　　　　　　　　　　　　　　　　　３
　グリセリン　　　　　　　　　　　　　　　　　　　　　１０
　サッカリンナトリウム　　　　　　　　　　　　　　　　　０．１
　ラウロイルサルコシンナトリウム　　　　　　　　　　　　０．２
　アルキル（Ｃ８〜Ｃ１６ミックス）硫酸ナトリウム　　　　１．０
　カルボキシメチルセルロースナトリウム　　　　　　　　　１．０
　エタノール　　　　　　　　　　　　　　　　　　　　　　０．５
　ブチルパラベン　　　　　　　　　　　　　　　　　　　　０．０２
　安息香酸ナトリウム　　　　　　　　　　　　　　　　　　０．３
　香料Ａ　　　　　　　　　　　　　　　　　　　　　　　　１．０
　アネトール　　　　　　　　　　　　　　　　　　　　　　０．１５
　メンソフラン　　　　　　　　　　　　　　　　　　　　　０．００５
　
水　　　　　　　　　　　　　　　　　　　　　　　　　　残　　　　
　　　　計　　　　　　　　　　　　　　　　　　　　　１００．０
　【００３６】
［実施例９］
　ピロリン酸カルシウム　　　　　　　　　　　　　　　　５０
　プロピレングリコール　　　　　　　　　　　　　　　　　３
　グリセリン　　　　　　　　　　　　　　　　　　　　　　７
　サッカリンナトリウム　　　　　　　　　　　　　　　　　０．１
　ラウロイルサルコシンナトリウム　　　　　　　　　　　　０．５
　ラウリル硫酸ナトリウム　　　　　　　　　　　　　　　　１．５
　カルボキシメチルセルロースナトリウム　　　　　　　　　１．０
　モノフルオルリン酸ナトリウム　　　　　　　　　　　　　０．７３
　メチルパラベン　　　　　　　　　　　　　　　　　　　　０．２
　ブチルパラベン　　　　　　　　　　　　　　　　　　　　０．０２
　安息香酸ナトリウム　　　　　　　　　　　　　　　　　　０．３
　香料Ｂ　　　　　　　　　　　　　　　　　　　　　　　　１．０
　アネトール　　　　　　　　　　　　　　　　　　　　　　０．１０
　メンソフラン　　　　　　　　　　　　　　　　　　　　　０．０１
　
水　　　　　　　　　　　　　　　　　　　　　　　　　　残　　　
　　　　計　　　　　　　　　　　　　　　　　　　　　１００．０
　【００３７】
　【発明の効果】
　以上説明したように、本発明の歯磨組成物は、グリセリンとアルキル硫酸塩を配合した歯磨組成物の低温安定性を改良し、更にこの改良に伴う苦味の発現を改良したもので、使用性に優れたものである。